(57)【特許請求の範囲】
【請求項１】
中空のゴルフクラブヘッドであって、
上面のクラウン部に、打球面のフェース側から当該フェース側と対向するバック側へ向けて延設された複数の厚肉部が形成されており、
打球時における前記クラウン部の剛性は、シャフトが取り付けられるヒール側から当該ヒール側と対向するトゥ側にいくに従って高くなるように構成されており、
前記クラウン部のバック側端部には、前記ヒール側から前記トゥ側まで延設されたバック側厚肉部が形成されており、
前記バック側厚肉部は、前記複数の厚肉部と連結されている
ことを特徴とするゴルフクラブヘッド。
【請求項２】
前記複数の厚肉部の幅が前記ヒール側から前記トゥ側にいくに従って大きくなるように構成されることによって、打球時における前記クラウン部の剛性が、前記ヒール側から前記トゥ側にいくに従って高くなるように構成されている
ことを特徴とする請求項１に記載のゴルフクラブヘッド。
【請求項３】
前記バック側厚肉部のフェース側端部が前記ヒール側から前記トゥ側にいくに従ってフェースに近づくように構成されることによって、打球時における前記クラウン部の剛性が、前記ヒール側から前記トゥ側にいくに従って高くなるように構成されている
ことを特徴とする請求項１に記載のゴルフクラブヘッド。
【請求項４】
隣接する前記厚肉部の間にそれぞれ形成された複数の薄肉部の幅が前記ヒール側から前記トゥ側にいくに従って小さくなるように構成されることによって、打球時における前記クラウン部の剛性が、前記ヒール側から前記トゥ側にいくに従って高くなるように構成されている
ことを特徴とする請求項１又は請求項２に記載のゴルフクラブヘッド。
【請求項５】
隣接する前記厚肉部の間にそれぞれ形成された複数の薄肉部の厚みが前記ヒール側から前記トゥ側にいくに従って大きくなるように構成されることによって、打球時における前記クラウン部の剛性が、前記ヒール側から前記トゥ側にいくに従って高くなるように構成されている
ことを特徴とする請求項１から請求項４のいずれか一項に記載のゴルフクラブヘッド。
【請求項６】
前記クラウン部のフェース側端部には、前記ヒール側から前記トゥ側まで延設されたフェース側厚肉部が形成されている
ことを特徴とする請求項１から請求項５のいずれか一項に記載のゴルフクラブヘッド。
【発明の詳細な説明】
【技術分野】
【０００１】
本発明は、ゴルフクラブヘッドに関する。
【背景技術】
【０００２】
ゴルフクラブにおいて、ドライバー等のウッドは、中空のヘッドを有している。特許文献１には、クラウン部の後部のうちトゥ−ヒール方向の中央部付近に厚肉部を設けることによって、打点がばらつき易いアマチュアゴルファーが使用しても、平均して飛距離を増大させることが可能なゴルフクラブヘッドが開示されている。
【先行技術文献】
【特許文献】
【０００３】
【特許文献１】特開２００８−９３２６８号公報
【発明の概要】
【発明が解決しようとする課題】
【０００４】
近年、ゴルフクラブには、飛距離を増大させることに加えて、飛距離の均一化を実現することが望まれている。
【０００５】
本発明は、前記事情に鑑みて創案されたものであり、打点がばらついても飛距離の均一化を実現することが可能なゴルフクラブヘッドを提供することを課題とする。
【課題を解決するための手段】
【０００６】
前記課題を解決するため、本発明は、中空のゴルフクラブヘッドであって、上面のクラウン部に、打球面のフェース側から当該フェース側と対向するバック側へ向けて延設された複数の厚肉部が形成されており、打球時における前記クラウン部の剛性は、シャフトが取り付けられるヒール側から当該ヒール側と対向するトゥ側にいくに従って高くなるように構成されており、前記クラウン部のバック側端部には、前記ヒール側から前記トゥ側まで延設されたバック側厚肉部が形成されており、前記バック側厚肉部は、前記複数の厚肉部と連結されていることを特徴とする。
【０００７】
ユーザがヘッドを備えたゴルフクラブをスイングしてヘッドのヒール側打球領域で打球した場合には、ヒール側打球領域のクラウン部は比較的低剛性であるため、ヘッドは、当該ヘッドがシャフト軸を中心に打球方向に回動してフェース部が立つことを制御する、すなわち、フェース部のロフト角が小さくなってボールの打ち出し角度が低くなることを抑制することができ、センター打球領域で打球した場合に近い打ち出し角度を実現することができる。
【０００８】
一方、ユーザがヘッドを備えたゴルフクラブをスイングしてヘッドのトゥ側打球領域で打球した場合には、トゥ側打球領域のクラウン部は比較的高剛性であるため、ヘッドは、クラウン部の撓みを制御する、すなわち、フェース部のロフト角が大きくなってボールの打ち出し角度が高くなることを抑制することができ、センター打球領域で打球した場合に近い打ち出し角度を実現することができる。
【０００９】
前記ゴルフクラブヘッドは、前記複数の厚肉部の幅が前記ヒール側から前記トゥ側にいくに従って大きくなるように構成されることによって、打球時における前記クラウン部の剛性が、前記ヒール側から前記トゥ側にいくに従って高くなるように構成されていてもよい。
【００１１】
前記ゴルフクラブヘッドは、前記バック側厚肉部のフェース側端部が前記ヒール側から前記トゥ側にいくに従ってフェースに近づくように構成されることによって、打球時における前記クラウン部の剛性が、前記ヒール側から前記トゥ側にいくに従って高くなるように構成されていてもよい。
【００１２】
前記ゴルフクラブヘッドは、隣接する前記厚肉部の間にそれぞれ形成された複数の薄肉部の幅が前記ヒール側から前記トゥ側にいくに従って小さくなるように構成されることによって、打球時における前記クラウン部の剛性が、前記ヒール側から前記トゥ側にいくに従って高くなるように構成されていてもよい。
【００１３】
前記ゴルフクラブヘッドは、隣接する前記厚肉部の間にそれぞれ形成された複数の薄肉部の厚みが前記ヒール側から前記トゥ側にいくに従って大きくなるように構成されることによって、打球時における前記クラウン部の剛性が、前記ヒール側から前記トゥ側にいくに従って高くなるように構成されていてもよい。
【００１７】
前記クラウン部のフェース側端部には、前記ヒール側から前記トゥ側まで延設されたフェース側厚肉部が形成されている構成であってもよい。
【００１８】
かかる構成によると、打球時におけるクラウン部の撓みが局所的になることを抑制し、安定した打球方向性を実現することができる。
【発明の効果】
【００１９】
本発明によれば、打球位置のばらつきによってボールの打ち出し角度が低くなったり高くなったりすることを抑制することができるので、飛距離の均一化を実現することができる。
【００２０】
また、本発明によれば、複数の薄肉部を備えることによって、クラウン部の軽量化を図り、当該ヘッドの設計自由度を高めることができる。さらに、本発明によれば、クラウン部の軽量化を図ることができるので、重心を低くし、打球時におけるボールの打ち出し角度を全体的に高くし、飛距離の向上を実現することができる。
【００２１】
また、本発明によれば、バック側厚肉部を備えることによって、打球位置のばらつきによってボールの打ち出し角度が低くなったり高くなったりすることを抑制することができるので、飛距離の均一化を実現することができる。
【００２２】
また、本発明によれば、打球時におけるクラウン部の撓みが局所的になることを抑制し、安定した打球方向性を実現することができる。
【図面の簡単な説明】
【００２３】
【図１】本発明の第一の参考形態に係るゴルフクラブを示す図であり、（ａ）は平面図、（ｂ）は（ａ）のＸ１矢視断面図である。
【図２】本発明の第一の実施形態に係るゴルフクラブを示す図であり、（ａ）は平面図、（ｂ）は（ａ）のＸ２矢視断面図である。
【図３】本発明の第二の実施形態に係るゴルフクラブを示す図であり、（ａ）は平面図、（ｂ）は（ａ）のＸ３矢視断面図である。
【図４】本発明の第二の参考形態に係るゴルフクラブを示す図であり、（ａ）は平面図、（ｂ）は（ａ）のＸ４矢視断面図である。
【図５】本発明の第三の参考形態に係るゴルフクラブを示す図であり、（ａ）は平面図、（ｂ）は（ａ）のＸ５矢視断面図である。
【図６】本発明の第四の参考形態に係るゴルフクラブを示す図であり、（ａ）は平面図、（ｂ）は（ａ）のＸ６矢視断面図である。
【図７】本発明の第五の参考形態に係るゴルフクラブを示す図であり、（ａ）は平面図、（ｂ）は（ａ）のＸ７矢視断面図である。
【発明を実施するための形態】
【００２４】
以下、本発明の実施形態及び参考形態について、本発明のゴルフクラブヘッドを右利き用のウッドに適用した場合を例にとり、添付図面を参照して説明する。
【００２５】
＜第一の参考形態＞
図１に示すように、本発明の第一の参考形態に係るゴルフクラブヘッド（以下、単に「ヘッド」と記載する）１Ａは、金属製で中空形状を呈しており、ショット時にボールと衝突する前部のフェース部１０と、上に凸の形状を呈する上部のクラウン部２０Ａと、クラウン部２０Ａと対向する下部のソール部３０と、基端側（シャフト側）の側部のヒール部４０と、ヒール部４０と対向する先端側の側部のトゥ部５０と、フェース部１０と対向する後部のバック部６０と、フェース部１０、クラウン部２０Ａ及びヒール部４０によって形成されるスペースに設けられる上部のネック部７０と、を備える。
【００２６】
かかるヘッド１Ａは、フェース部１０と、クラウン部２０Ａと、一体成形されたソール部３０、ヒール部４０、トゥ部５０及びバック部６０と、ネック部７０と、を溶接することによって形成される。また、ネック部７０には、孔部７１が形成されている。かかる孔部７１には、シャフト（図示せず）が取り付けられる。
【００２７】
ここで、フェース部１０の打球面のフェース部センター１１を含む図１における例えば左右１０ｍｍずつの合計２０ｍｍの範囲が、センター打球領域１２Ｃであり、センター打球領域１２Ｃの右側（ヒール部４０側）の例えば２０ｍｍの範囲が、ヒール側打球領域１２Ｈであり、センター打球領域１２Ｃの左側（トゥ部５０側）の例えば２０ｍｍの範囲が、トゥ側打球領域１２Ｔである。これらセンター打球領域１２Ｃ、ヒール側打球領域１２Ｈ及びトゥ側打球領域１２Ｔが、有効打球領域１２を構成している。
【００２８】
また、フェース部１０の打球面の有効打球領域１２を含んで左右にさらに広い領域が、スコアラインが形成されたスコアライン形成領域１３である。
【００２９】
クラウン部２０Ａは、同一の金属材料によって一体的に構成された板状部材であり、複数の厚肉部２１（本実施形態では、互いに平行な、前後方向に延びる６条の厚肉部２１ａ〜２１ｆ）と、複数の薄肉部２２（本実施形態では、互いに平行な、前後方向に延びる７条の薄肉部２２ａ〜２２ｇ）と、フェース側厚肉部２３と、溶接代２４と、を備える。
【００３０】
複数の厚肉部２１ａ〜２１ｆは、ヒール部４０側からトゥ部５０側へと順に配置されており、フェース部１０側からバック部６０へと延設されたリブ状厚肉部である。複数の厚肉部２１ａ〜２１ｆは、クラウン部２０Ａの下面側（ヘッド１Ａの中空側）に突出するように形成されている。これら複数の厚肉部２１ａ〜２１ｆは、同一の厚みに形成されている。また、厚肉部２１ｄは、ヘッド１Ａのヘッド幅（フェース部１０とバック部６０との距離）が最大となる位置に設けられている。
【００３１】
複数の厚肉部２１ｂ〜２１ｆは、少なくとも、クラウン部２０Ａの最高点１４を中心にフェース部１０側およびバック部６０側へ同じ長さだけ延設されていればよく、ヘッド１Ａのヘッド幅が９０〜１１０ｍｍの場合には、複数の厚肉部２１ｂ〜２１ｆは、少なくとも５０〜８０ｍｍの長さを呈するように構成されていればよい。かかる構成によると、フェース部１０−バック部６０方向の端部への応力集中を低減し、クラウン部２０Ａを効率的に撓ませることができる。また、クラウン部２０Ａの強度が向上するので、クラウン部２０Ａの薄型化及び軽量化を図ることができる。
【００３２】
複数の薄肉部２２ａ〜２２ｇは、ヒール部４０側からトゥ部５０側へと順に配置されており、複数の厚肉部２１及び溶接代２４の間に延設されている。これら複数の薄肉部２２ａ〜２２ｇは、同一の厚みに形成されており、複数の厚肉部２１ａ〜２１ｆよりも薄い。
【００３３】
フェース側厚肉部２３は、クラウン部２０Ａのフェース部１０側端部に、フェース部１０及びネック部７０に沿うように延設されている。フェース側厚肉部２３は、クラウン部２０Ａの下面側（ヘッド１Ａの中空側）に突出するように形成されている。フェース側厚肉部２３のフェース部１０側先端は、フェース部１０及びネック部７０に対する溶接代を兼ねている。このフェース側厚肉部２３は、複数の厚肉部２１ａ〜２１ｆよりも厚く形成されている。
【００３４】
溶接代２４は、クラウン部２０Ａのヒール部４０、バック部６０及びトゥ部５０側端部に、ヒール部４０、バック部６０及びトゥ部５０に沿うように延設されている。この溶接代２４は、１〜５ｍｍの幅を呈し、複数の厚肉部２１ａ〜２１ｆと同一の厚みに形成されている。
【００３５】
複数の厚肉部２１及び複数の薄肉部２２は、ヒール部４０側からトゥ部５０側へ、薄肉部２２ａ、厚肉部２１ａ、薄肉部２２ｂ、厚肉部２１ｂ、薄肉部２２ｃ、厚肉部２１ｃ、薄肉部２２ｄ、厚肉部２１ｄ、薄肉部２２ｅ、厚肉部２１ｅ、薄肉部２２ｆ、厚肉部２１ｆ、薄肉部２２ｇの順に設けられている。厚肉部２１ａの幅ｔ１（ヒール部４０−トゥ部５０方向の長さ）、薄肉部２２ｂの幅Ｔ２、厚肉部２１ｂの幅ｔ２、薄肉部２２ｃの幅Ｔ３、厚肉部２１ｃの幅ｔ３、薄肉部２２ｄの幅Ｔ４、厚肉部２１ｄの幅ｔ４、薄肉部２２ｅの幅Ｔ５、厚肉部２１ｅの幅ｔ５、薄肉部２２ｆの幅Ｔ６、厚肉部２１ｆの幅ｔ６は、２：８：３：７：４：６：６：６：７：５：９となるように設定されている。
【００３６】
ここで、各厚肉部２１（２１ａ〜２１ｆ）の幅ｔｎ及び各薄肉部２２（２２ｂ〜２２ｆ）の幅Ｔｎは、以下の関係を満たすように設定されている。
ｔｎ＋１＞ｔｎ（ただし、互いに隣接する一組の幅が等しい場合も含む）
Ｔｎ＋１＜Ｔｎ（ただし、互いに隣接する一組の幅が等しい場合も含む）
フェース部センター１１よりもヒール部４０側において
ｔｎ＜Ｔｎ  かつ  ｔｎ＜Ｔｎ＋１
フェース部センター１１よりもトゥ部５０側において
ｔｎ≧Ｔｎ  かつ  ｔｎ≧Ｔｎ＋１
【００３７】
複数の厚肉部２１の剛性は、幅が大きい（広い）ほど強くなる。すなわち、複数の厚肉部２１ａ〜２１ｆの幅は、ヒール部４０側からトゥ部５０側にいくに従って大きくなるので、複数の厚肉部２１ａ〜２１ｆの剛性は、ヒール部４０側からトゥ部５０側にいくに従って大きくなる。かかる構成により、ヘッド１Ａのクラウン部２０Ａの剛性は、ヒール部４０側で比較的小さく、トゥ部５０側で比較的大きくなる。
【００３８】
また、複数の薄肉部２２の幅は、ヒール部４０側からトゥ部５０側にいくに従って小さく（狭く）なるので、ヘッド１Ａの剛性は、ヒール部４０側で比較的小さく、トゥ部５０側で比較的大きくなる。
【００３９】
ユーザがヘッド１Ａを備えたゴルフクラブをスイングしてヘッド１Ａのヒール側打球領域１２Ｈで打球した場合には、ヒール側打球領域１２Ｈのクラウン部２０Ａは比較的低剛性であるため、ヘッド１Ａは、打球時に当該ヘッド１Ａがシャフト軸を中心に打球方向に回動してフェース部１０が立つことを制御する、すなわち、フェース部１０のロフト角が小さくなってボールの打ち出し角度が低くなることを抑制することができ、センター打球領域１２Ｃで打球した場合に近い打ち出し角度を実現することができる。
【００４０】
一方、ユーザがヘッド１Ａを備えたゴルフクラブをスイングしてヘッド１Ａのトゥ側打球領域１２Ｔで打球した場合には、トゥ側打球領域１２Ｔのクラウン部２０Ａは比較的高剛性であるため、ヘッド１Ａは、打球時にクラウン部２０Ａの撓みを制御する、すなわち、フェース部１０のロフト角が大きくなってボールの打ち出し角度が高くなることを抑制することができ、センター打球領域１２Ｃで打球した場合に近い打ち出し角度を実現することができる。
【００４１】
本発明の第一の参考形態に係るヘッド１Ａは、打球位置のばらつきによってボールの打ち出し角度が低くなったり高くなったりすることを抑制することができるので、飛距離の均一化を実現することができる。
【００４２】
また、本発明の第一の参考形態に係るヘッド１Ａは、フェース部１０に沿って形成されたフェース側厚肉部２３を備えているので、打球時におけるクラウン部２０Ａの撓みが局所的になることを抑制し、安定した打球方向性を実現することができる。
【００４３】
また、本発明の第一の参考形態に係るヘッド１Ａは、複数の薄肉部２２ａ〜２２ｇを備えているので、クラウン部２２Ａの軽量化を図り、当該ヘッド１Ａの設計自由度を高めることができる。さらに、本発明の第一の参考形態に係るヘッド１Ａは、クラウン部２２Ａの軽量化を図ることができるので、重心を低くし、打球時におけるボールの打ち出し角度を全体的に高くし、飛距離の向上を実現することができる。
【００４４】
また、本発明の第一の参考形態に係るヘッド１Ａは、重心がトゥ部５０側に配置されるので、慣性モーメントが大きくなり、ヘッド１Ａの挙動が安定し、安定した打球方向性を実現することができる。
【００４５】
＜第一の実施形態＞
続いて、本発明の第一の実施形態に係るヘッドについて、図２を参照し、第一の参考形態に係るヘッド１Ａとの相違点を中心に説明する。
【００４６】
図２に示すように、本発明の第一の実施形態に係るヘッド１Ｂは、クラウン部２０Ａに代えてクラウン部２０Ｂを備えており、クラウン部２０Ｂは、バック側厚肉部２５Ｂをさらに備える。バック側厚肉部２５Ｂは、クラウン部２０Ｂのバック部６０側端部に、バック部６０に沿うように延設されている。バック側厚肉部２５Ｂは、クラウン部２０Ｂの下面側（ヘッド１Ｂの中空側）に突出するように形成されている。このバック側厚肉部２５Ｂは、複数の厚肉部２１ａ〜２１ｆと同一の厚みに形成されている。バック側厚肉部２５Ｂのフェース部１０側端部は、フェース部１０と略平行に形成されており、複数の厚肉部２１ｂ〜２１ｆの長さは、略同一であり、ヘッド幅の５０〜７０％となっている。
【００４７】
本発明の第一の実施形態に係るヘッド１Ｂは、バック側厚肉部２５Ｂを備えていることにより、クラウン部２０Ｂが撓む長さを短くすることができるので、打球時のクラウン部２０Ｂの撓みのエネルギー伝達ロスを低減し、クラウン部２０Ｂを効率的に撓ませることができる。
【００４８】
＜第二の実施形態＞
続いて、本発明の第二の実施形態に係るヘッドについて、図３を参照し、第一の参考形態に係るヘッド１Ａとの相違点を中心に説明する。
【００４９】
図３に示すように、本発明の第二の実施形態に係るヘッド１Ｃは、クラウン部２０Ａに代えてクラウン部２０Ｃを備えており、クラウン部２０Ｃは、複数の厚肉部２１ａ〜２１ｅと、複数の薄肉部２２ａ〜２２ｆと、を備える。
【００５０】
複数の厚肉部２１ａ〜２１ｅは、ヒール部４０側からトゥ部５０側へと順に配置されており、同一の厚みに形成されているとともに同一の幅に形成されている。厚肉部２１ｂは、ヒール側打球領域１２Ｈの中心を含むように配置されており、厚肉部２１ｃは、センター打球領域１２Ｃの中心を含むように配置されており、厚肉部２１ｄは、トゥ側打球領域１２Ｔの中心を含むように配置されている。
【００５１】
複数の薄肉部２２ａ〜２２ｆは、ヒール部４０側からトゥ部５０側へと順に配置されており、同一の厚みに形成されているとともに、複数の薄肉部２２ｂ〜２２ｅは、同一の幅に形成されている。
【００５２】
クラウン部２０Ｃは、バック側厚肉部２５Ｃをさらに備える。バック側厚肉部２５Ｃは、クラウン部２０Ｃのバック部６０側端部に、バック部６０に沿うように延設されている。バック側厚肉部２５Ｃは、クラウン部２０Ｃの下面側（ヘッド１Ｃの中空側）に突出するように形成されている。このバック側厚肉部２５Ｃは、複数の厚肉部２１ａ〜２１ｅと同一の厚みに形成されている。バック側厚肉部２５Ｃのフェース部１０側端部は、ヒール部４０側からトゥ部５０側にいくに従いフェース部１０に近づくように形成されており、複数の厚肉部２１ｂ〜２１ｅの長さは、ヒール部４０側からトゥ部５０側にいくに従い短くなるように形成されている。かかる構成により、ヘッド１Ｃのクラウン部２０Ｃの剛性は、ヒール部４０側で比較的小さく、トゥ部５０側で比較的大きくなる。
【００５３】
本発明の第二の実施形態に係るヘッド１Ｃは、バック側厚肉部２５Ｃを備えていることにより、第一の参考形態に係るヘッド１Ａと同様、打球位置のばらつきによってボールの打ち出し角度が低くなったり高くなったりすることを抑制することができるので、飛距離の均一化を実現することができる。
【００５４】
＜第二の参考形態＞
続いて、本発明の第二の参考形態に係るヘッドについて、図４を参照し、第一の参考形態に係るヘッド１Ａとの相違点を中心に説明する。
【００５５】
図４に示すように、本発明の第二の参考形態に係るヘッド１Ｄは、クラウン部２０Ａに代えてクラウン部２０Ｄを備えており、クラウン部２０Ｄは、複数の厚肉部２１ａ〜２１ｅと、複数の薄肉部２２ａ〜２２ｆと、を備える。
【００５６】
複数の厚肉部２１ａ〜２１ｅは、ヒール部４０側からトゥ部５０側へと順に配置されており、同一の幅に形成されている。厚肉部２１ｂは、ヒール側打球領域１２Ｈの中心を含むように配置されており、厚肉部２１ｃは、センター打球領域１２Ｃの中心を含むように配置されており、厚肉部２１ｄは、トゥ側打球領域１２Ｔの中心を含むように配置されている。複数の厚肉部２１ａ〜２１ｅの厚みは、ヒール部４０側からトゥ部５０側にいくに従い大きくなるように形成されている。かかる構成により、ヘッド１Ｄのクラウン部２０Ｄの剛性は、ヒール部４０側で比較的小さく、トゥ部５０側で比較的大きくなる。
【００５７】
複数の薄肉部２２ａ〜２２ｆは、ヒール部４０側からトゥ部５０側へと順に配置されており、同一の厚みに形成されているとともに、複数の薄肉部２２ｂ〜２２ｅは、同一の幅に形成されている。
【００５８】
本発明の第二の参考形態に係るヘッド１Ｄは、複数の厚肉部２１ａ〜２１ｅを備えていることにより、第一の参考形態に係るヘッド１Ａと同様、打球位置のばらつきによってボールの打ち出し角度が低くなったり高くなったりすることを抑制することができるので、飛距離の均一化を実現することができる。
【００５９】
＜第三の参考形態＞
続いて、本発明の第三の参考形態に係るヘッドについて、図５を参照し、第一の参考形態に係るヘッド１Ａとの相違点を中心に説明する。
【００６０】
図５に示すように、本発明の第三の参考形態に係るヘッド１Ｅは、クラウン部２０Ａに代えてクラウン部２０Ｅを備えており、クラウン部２０Ｅは、複数の厚肉部２１ａ〜２１ｅと、複数の薄肉部２２ａ〜２２ｆと、を備える。
【００６１】
複数の厚肉部２１ａ〜２１ｅは、ヒール部４０側からトゥ部５０側へと順に配置されており、同一の幅に形成されている。厚肉部２１ｂは、ヒール側打球領域１２Ｈの中心を含むように配置されており、厚肉部２１ｃは、センター打球領域１２Ｃの中心を含むように配置されており、厚肉部２１ｄは、トゥ側打球領域１２Ｔの中心を含むように配置されている。複数の厚肉部２１ａ〜２１ｅは、クラウン部２０Ｅの薄肉部２２ａ〜２２ｆを構成する平板状部材に、互いに異なる材料から形成されて剛性の異なる複数の細板状部材を溶接等によって固定することによって実現されており、ヒール部４０側からトゥ部５０側にいくに従い剛性が大きくなるように形成されている。かかる構成により、ヘッド１Ｅのクラウン部２０Ｅの剛性は、ヒール部４０側で比較的小さく、トゥ部５０側で比較的大きくなる。
【００６２】
複数の薄肉部２２ａ〜２２ｆは、ヒール部４０側からトゥ部５０側へと順に配置されており、同一の厚みに形成されているとともに、複数の薄肉部２２ｂ〜２２ｅは、同一の幅に形成されている。
【００６３】
本発明の第三の参考形態に係るヘッド１Ｅは、複数の厚肉部２１ａ〜２１ｅを備えていることにより、第一の参考形態に係るヘッド１Ａと同様、打球位置のばらつきによってボールの打ち出し角度が低くなったり高くなったりすることを抑制することができるので、飛距離の均一化を実現することができる。
【００６４】
＜第四の参考形態＞
続いて、本発明の第四の参考形態に係るヘッドについて、図６を参照し、第一の参考形態に係るヘッド１Ａとの相違点を中心に説明する。
【００６５】
図６に示すように、本発明の第四の参考形態に係るヘッド１Ｆは、クラウン部２０Ａに代えてクラウン部２０Ｆを備えており、クラウン部２０Ｆは、複数の厚肉部２１ａ〜２１ｆ及び複数の薄肉部２２ａ〜２２ｇに代えて、複数の領域２６ａ〜２６ｅを備える。
【００６６】
複数の領域２６ａ〜２６ｅは、ヒール部４０側からトゥ部５０側へと順に配置されており、複数の領域２６ａ〜２６ｅの厚みは、ヒール部４０側からトゥ部５０側にいくに従い大きくなるように形成されている。領域２６ｂは、ヒール側打球領域１２Ｈの中心を含むように配置されており、領域２６ｃは、センター打球領域１２Ｃの中心を含むように配置されており、領域２６ｄは、トゥ側打球領域１２Ｔの中心を含むように配置されている。かかる構成により、ヘッド１Ｆのクラウン部２０Ｆの剛性は、ヒール部４０側で比較的小さく、トゥ部５０側で比較的大きくなる。
【００６７】
なお、フェース側厚肉部２３は、複数の領域２６ａ〜２６ｅのうち最も厚い領域２６ｅよりも厚く、溶接代２４は、領域２６ｅと同一の厚みに形成されている。なお、溶接代２４は、複数の領域２６ａ〜２６ｅよりも若干（例えば、０．２［ｍｍ］）厚い段状に形成されていてもよい。
【００６８】
本発明の第四の参考形態に係るヘッド１Ｆは、複数の領域２６ａ〜２６ｅを備えていることにより、第一の参考形態に係るヘッド１Ａと同様、打球位置のばらつきによってボールの打ち出し角度が低くなったり高くなったりすることを抑制することができるので、飛距離の均一化を実現することができる。
【００６９】
＜第五の参考形態＞
続いて、本発明の第五の参考形態に係るヘッドについて、図７を参照し、第一の参考形態に係るヘッド１Ａとの相違点を中心に説明する。
【００７０】
図７に示すように、本発明の第五の参考形態に係るヘッド１Ｇは、クラウン部２０Ａに代えてクラウン部２０Ｇを備えており、クラウン部２０Ｇは、複数の厚肉部２１ａ〜２１ｆ及び複数の薄肉部２２ａ〜２２ｇに代えて、複数の領域２７ａ〜２７ｃを備える。
【００７１】
複数の領域２７ａ〜２７ｃは、ヒール部４０側からトゥ部５０側へと順に配置されており、複数の領域２７ａ〜２７ｃの剛性は、ヒール部４０側からトゥ部５０側にいくに従い大きくなるように形成されている。領域２７ａは、ヒール側打球領域１２Ｈの中心を含むように配置されており、領域２７ｂは、センター打球領域１２Ｃの中心を含むように配置されており、領域２７ｃは、トゥ側打球領域１２Ｔの中心を含むように配置されている。かかる構成により、ヘッド１Ｇのクラウン部２０Ｇの剛性は、ヒール部４０側で比較的小さく、トゥ部５０側で比較的大きくなる。
【００７２】
本参考形態において、フェース側厚肉部２３、領域２７ｂ及び溶接代２４の領域２７ｂに隣接する部分は、例えばＴｉ−１５Ｖ−３Ｃｒ−３Ｓｎ−３Ａｌによって一体に形成されて９６〜１０５［ＧＰａ］の弾性率を呈し、領域２７ａ及び溶接代２４の領域２７ａに隣接する部分は、例えばＴｉ−１５Ｍｏ−５Ｚｒ−４Ｖ−４Ａｌによって一体に形成されて８８〜９３［ＧＰａ］の弾性率を呈し、領域２７ｃ及び溶接代２４の領域２７ｃに隣接する部分は、例えばＴｉ−６Ａｌ−４Ｖによって一体に形成されて１０５〜１１５［ＧＰａ］の弾性率を呈し、これら３個のパーツを溶接等によって固定することによってクラウン部２０Ｇが製造されている。
【００７３】
なお、本参考形態では、複数の領域２７ａ〜２７ｃは、同一の厚みに形成されているが、複数の領域２７ａ〜２７ｃの厚みを異ならせることによって複数の領域２７ａ〜２７ｃの剛性を好適な値に設定する構成であってもよい。また、複数の領域２７ａ〜２７ｃを同一の金属材料によって形成し、それぞれに異なる条件の熱処理を施すことによって、複数の領域２７ａ〜２７ｃの剛性を前記したように設定する構成であってもよい。
【００７４】
本発明の第五の参考形態に係るヘッド１Ｇは、複数の領域２７ａ〜２７ｃを備えていることにより、第一の参考形態に係るヘッド１Ａと同様、打球位置のばらつきによってボールの打ち出し角度が低くなったり高くなったりすることを抑制することができるので、飛距離の均一化を実現することができる。
【実施例】
【００７５】
続いて、本発明の参考例について説明する。
＜参考例＞
参考例に係るヘッドとして、第一の参考形態に係るヘッド１Ａを作成した。クラウン部２０Ａの材料として、Ｔｉ−Ｆｅ−Ｏを採用し、フェース部１０等その他の部分の材料として、Ｔｉ−６Ａｌ−４Ｖ、Ｔｉ−１５Ｖ−３Ｃｒ−３Ｓｎ−３Ａｌ、Ｔｉ−Ｆｅ−Ｏ−Ｓｉ等のチタン合金から適宜選択した。クラウン部２０Ａは、厚肉部２１ａ〜２１ｆの厚みを０．６５［ｍｍ］、薄肉部２２ａ〜２２ｇの厚みを０．３５［ｍｍ］、フェース側厚肉部２３の厚みを０．８５［ｍｍ］とした。参考例に係るヘッド１Ａの容積は４６０［ｃｃ］であり、重量は１９６［ｇ］である。
【００７６】
＜比較例１＞
比較例１に係るヘッドとして、参考例に係るヘッド１Ａの厚肉部２１ａ〜２１ｆ及び薄肉部２２ａ〜２２ｇの厚みを０．６５［ｍｍ］と一定にしたものを作成した。比較例１に係るヘッドの容積は４６０［ｃｃ］である。
＜比較例２＞
比較例２に係るヘッドとして、参考例に係るヘッド１Ａのリブ状の厚肉部をフェース部センターに幅１０［ｍｍ］、厚み０．６５［ｍｍ］で１個のみ形成したものを作成した。比較例２に係るヘッドの容積は４６０［ｃｃ］である。
【００７７】
＜試打評価＞
これら参考例、比較例１、比較例２に係るヘッドに繊維強化樹脂製のシャフト及びグリップを取り付け、ヘッドスピード４７．７［ｍ／ｓ］でロボットによる試打を行った。打点位置は、フェース部センター、トゥ側打点（フェース部センターからトゥ部側２０［ｍｍ］）、ヒール側打点（フェースセンターからヒール部側２０［ｍｍ］）とし、それぞれの打ち出し角度、スピン量及び飛距離を計測した。
【００７８】
【表１】
0005427144.tif 000002
【００７９】
表１に示すように、参考例に係るヘッド１Ａは、比較例１，２に係るヘッドと比べて、打点のずれに伴う打ち出し角度のばらつきを抑えることによって飛距離のばらつきを抑制し（飛距離の均一化）、さらには、飛距離の向上を実現することができた。
【００８０】
なお、クラウン部２０Ａは、厚肉部２１ａ〜２１ｆの厚みを０．５５〜１．５［ｍｍ］、薄肉部２２ａ〜２２ｇの厚みを０．３〜０．７［ｍｍ］、フェース側厚肉部２３の厚みを０．７〜１．５［ｍｍ］の範囲に設定することができる。また、フェース側厚肉部２３の厚みを１００としたとき、厚肉部２１ａ〜２１ｆの厚みを９０〜９５、薄肉部２２ａ〜２２ｇの厚みを３０〜６０に設定することが望ましい。さらに、クラウン部２０Ａの材料としてＴｉ−Ｆｅ−Ｏ以外のチタン合金を採用することも可能である。
【００８１】
以上、本発明の実施形態及び参考形態について説明したが、本発明は前記実施形態に限定されず、本発明の要旨を逸脱しない範囲で適宜設計変更可能である。例えば、第一及び第二の実施形態に係るヘッド１Ｂ，１Ｃ及び第一乃至第三の参考形態に係るヘッド１Ａ，１Ｄ，１Ｅにおいて、複数の薄肉部２２ａ〜２２ｇの厚みが、ヒール部４０側からトゥ部５０側にいくに従い大きくなるように形成されている構成であってもよい。また、第四の参考形態に係るヘッド１Ｆにおいて、クラウン部２０Ｆの厚みは、ヒール部４０側からトゥ部５０側にいくに従い連続的に大きくなるように形成されている構成であってもよい。また、本発明は、容積２５０［ｃｃ］以上のドライバーのヘッドだけでなく、容積２５０［ｃｃ］未満のフェアウェイウッド、ユーティリティのヘッドにも適用可能である。
【符号の説明】
【００８２】
１Ａ〜１Ｇ  ゴルフクラブヘッド
２０Ａ〜２０Ｇ  クラウン部
２１ａ〜２１ｆ  厚肉部
２２ａ〜２２ｇ  薄肉部
２３    フェース側厚肉部
２５Ｂ，２５Ｃ  バック側厚肉部
【図１】
0005427144.tif 000003
【図２】
0005427144.tif 000004
【図３】
0005427144.tif 000005
【図４】
0005427144.tif 000006
【図５】
0005427144.tif 000007
【図６】
0005427144.tif 000008
【図７】
0005427144.tif 000009